(57)【要約】【課題】  従来、表示装置の視認性の良さ（明るさ）と消費電力とは相反する関係であり、その両立は困難であった。そこで通常使用時は低消費電力のモードで動作し、必要なときに自動的に表示画面の明るさを上げて視認性を向上させる表示装置を提供する。【解決手段】  記録再生装置の画像表示ユニットは輝度制御手段によって通常の輝度と通常の輝度よりも明るい輝度の二段階に切換えが可能で、記録再生装置の電源投入時は通常の輝度で動作し、静止画撮影の予備動作のためにシャッタボタンを半押しされたときに通常よりも明るい輝度で動作させる。【選択図】  図１
2007166515.tif 000002
【特許請求の範囲】
【請求項１】
画像表示ユニットと、該画像表示ユニットの表示画面の輝度を制御する輝度制御手段と、静止画撮影機能を備えた記録再生装置において、該画像表示ユニットは該輝度制御手段によって通常の輝度と通常の輝度よりも明るい輝度の二段階に切換えが可能で、該記録再生装置の電源投入時は通常の輝度で動作し、静止画撮影の予備動作のためにシャッタボタンを半押しされたときには通常よりも明るい輝度で動作することを特徴とする記録再生装置。
【請求項２】
静止画撮影の予備動作のためにシャッタボタン半押しし表示装置の輝度を通常よりも明るい輝度で動作させた後、シャッタボタンを全押しし撮影終了した後に元の輝度に戻すことを特徴とする請求項１に記載の記録再生装置。
【請求項３】
静止画撮影終了後、予め設定した一定時間だけ撮影後の画像を表示装置に表示させるプレビュー機能を具え、該プレビュー期間中表示画像の輝度を通常よりも明るい輝度で動作させ、プレビュー期間終了後表通常の輝度に戻すことを特徴とする請求項１、又は請求項２に記載の記録再生装置。
【請求項４】
画像表示ユニットは液晶パネルと、輝度を変更可能なバックライトからなることを特徴とする、請求項１〜請求項３のいずれかに記載の記録再生装置。
【請求項５】
画像表示ユニットは有機ＥＬパネルからなることを特徴とする、請求項１〜請求項３のいずれかに記載の記録再生装置。
【発明の詳細な説明】
【技術分野】
【０００１】
本発明は電子カメラ等の記録再生装置で用いられる画像表示装置に関する。
【背景技術】
【０００２】
電子カメラ、カメラ一体型ＶＴＲ等にて撮影画像の確認のために用いられる画像表示装置は、そのコストや大きさ、性能の面で最もバランスがとれている液晶表示装置が現在一般に用いられている。液晶表示装置は画像を表示する液晶表示パネルと、該液晶表示パネルの背面から白色光を照射するバックライトから構成される。ここで、液晶表示装置の画像の見栄えは外光に対する表示画面の明るさによって左右されるため、一般にバックライトの明るさが明るいほど画像の視認性は向上する。
【０００３】
しかしながらバックライトの輝度を上げることはそのまま消費電力の増加につながる。バッテリで駆動する機会が多い電子カメラやカメラ一体型ＶＴＲでは消費電力の増加はバッテリ持続時間の低下につながり、装置の使い勝手が悪くなってしまう。
【０００４】
そのため、ユーザーが任意にバックライトの輝度を選択できるモードを設けユーザーの使用環境に応じて、画面の見易さを優先してバックライトの輝度を明るくしたり、バッテリ持続時間を優先してバックライトを暗くしたりできるよう構成された機器が提供されている。
【０００５】
以上は表示装置として液晶表示パネルとバックライトとからなる液晶表示装置について述べたが、近年、画像表示装置として実用化されつつある自発光デバイスの有機ＥＬパネルにおいても、輝度を上げると消費電力が増加することは同じ傾向である。
【０００６】
又、別の従来例としては、特許文献１をあげることが出来る。
【特許文献１】特開2001-086393号公報
【発明の開示】
【発明が解決しようとする課題】
【０００７】
前述したように画像記録再生装置の表示装置は、視認性の良さ（明るさ）と消費電力とは相反する関係であり、その両立は困難である。
【０００８】
バックライトの明るさを選択的に切り替える機能がついていたとしててもユーザーがそれを使用環境に応じて都度設定を変えなければならず、操作がわずらわしいという課題があった。
【課題を解決するための手段】
【０００９】
以上の課題を解決するために、本発明にかかわる画像記録再生装置の画像表示装置は、
画像表示ユニットと、該画像表示ユニットの表示画面の輝度を制御する輝度制御手段と、静止画撮影機能を備えた記録再生装置において、該画像表示ユニットは該輝度制御手段によって通常の輝度と通常の輝度よりも明るい輝度の二段階に切換えが可能で、該記録再生装置の電源投入時は通常の輝度で動作し、静止画撮影の予備動作のためにシャッタボタンを半押しされたときに通常よりも明るい輝度で動作することを特徴とするものである。
【００１０】
また、静止画撮影の予備動作のためにシャッタボタン半押しし表示装置の輝度を通常よりも明るい輝度で動作させた後、シャッタボタンを全押しし撮影終了した後に元の輝度に戻すことを特徴とする。
【００１１】
また、静止画撮影終了後、予め設定した一定時間だけ撮影後の画像を表示装置に表示させるプレビュー機能を具え、該プレビュー期間中表示画像の輝度を通常よりも明るい輝度で動作させ、プレビュー期間終了後通常の輝度に戻すことを特徴とする。
【００１２】
前記画像表示ユニットは液晶パネルと、輝度を変更可能なバックライトからなることを特徴とする。
【００１３】
または、前記画像表示ユニットは有機ＥＬパネルからなることを特徴とする。
【発明の効果】
【００１４】
本発明によれば、シャッタボタンの半押し、全押し、およびプレビュー動作の有無に応じて表示装置の輝度を制御する輝度制御手段を具えているが故、該輝度制御手段によって、使用者が被写体を撮影時に撮影予備動作としてシャッタボタンを半押しすると表示装置の輝度は通常よりも明るい輝度で動作する。さらにシャッタボタンを全押しし撮影終了したときに通常の輝度に戻る。また、撮影終了後予め設定した一定時間だけ撮影後の画像を表示装置に表示させるプレビュー機能を具えている場合には、プレビュー期間中は明るい輝度で表示されプレビュー期間終了後通常の輝度に戻る。
【００１５】
以上のように、画像の確認が最も重要である撮影予備動作時、およびプレビュー動作時に自動的に画像表示装置の輝度が上がり、画像の確認を容易に行うことができる。
【００１６】
通常使用時は消費電力の少ないやや暗めの画像を表示させ、必要なときだけ画面の輝度を上げるため消費電力削減によるバッテリ持続時間の向上と、画像の視認性の向上とを両立させた画像記録再生装置の表示装置を提供することができる。
【発明を実施するための最良の形態】
【００１７】
次に、本発明の詳細を実施例の記述に従って説明する。
【実施例１】
【００１８】
図１は本発明の画像表示装置を電子カメラに実施した形態の基本構成を示すブロック図である。
【００１９】
同図において１はレンズ、２はレンズ１に入射された光を電気信号に変換するＣＣＤ、３はＣＣＤ２の出力信号を映像信号に変換しガンマ、ホワイトバランス等の各種映像信号処理を行うカメラ信号処理回路、４は記録時はカメラ信号処理回路３の出力信号を記録媒体５に記録するに適した信号処理を行い再生時は記録媒体５に記録された信号の再生信号処理を行う記録再生装置、６はシャッタボタン、７は本装置の制御をつかさどるプログラムが格納されたマイコン、８は記録再生装置４から出力された映像信号をＬＣＤ（液晶パネル）９に表示するに適した信号処理（ガンマ、ブライト、コントラスト、１Ｈ反転等）を行うＬＣＤ駆動回路、１０はバックライト１１の点灯制御、及び輝度の制御を行うバックライト駆動回路である。ＬＣＤ駆動回路８、ＬＣＤ９、バックライト駆動回路１０、バックライト１１を合わせたものが液晶表示ユニット１２である。
【００２０】
上記構成において、電源スイッチ（図示せず）をオンし電子カメラの電源が入るとマイコン７はカメラ信号処理回路３、記録再生装置４、ＬＣＤ駆動回路８等を駆動状態にするとともに、バックライト駆動回路１０を制御しバックライト１１を通常の輝度で点灯させる。使用者が撮影の予備動作としてシャッタボタン６を半押ししたことをマイコン７が検知すると、マイコン７はバックライト駆動回路１０を制御しバックライト１１を通常よりも明るい輝度で点灯させる。シャッタボタン６が全押しされ撮影が実行されたことをマイコン７が検知すると、マイコン７はバックライト駆動回路１０を制御しバックライトを通常の輝度に戻す。また撮影直後に記録画像を予め設定した一定時間のみ液晶表示ユニット１２に表示させるいわゆる「プレビュー機能」を持った装置の場合は、シャッタボタン６が全押しされ撮影が実行され次にプレビュー表示が終わったことをマイコン７が検知すると、マイコン７はバックライト駆動回路１０を制御しバックライト１１を通常の輝度に戻す。
【００２１】
図２は本実施の形態の表示装置の動作処理を示すフローチャートである。
【００２２】
まず、Ｓ１において電子カメラ本体の電源を入れるとＳ２においてマイコン７はバックライト駆動回路１０を制御し標準輝度でバックライト１１を点灯させる。次にＳ３においてシャッタボタン６が半押しされると、マイコン７はバックライト駆動回路１０を制御しバックライト１１を標準よりも明るい輝度で点灯させる（Ｓ４）。次にＳ５においてシャッタボタン６の半押しが解除されず全押しされると（Ｓ６）、プレビューモードの確認を行う（Ｓ７）。プレビューモードが選択されていたらプレビュー動作を開始し（Ｓ８）、予め設定された一定時間が経過した後プレビューを終了させる（Ｓ９）。プレビュー動作を終了するとマイコン７はバックライト駆動回路を１０を制御しバックライト１１の輝度を標準に戻す（Ｓ１０）。Ｓ５にてシャッタボタン６の半押しが解除されたとマイコン７が検知したときはバックライト１１の輝度を標準に戻す（Ｓ１０）。Ｓ７にてプレビューモードが選択されていないとマイコン７が検知したときも同様にバックライト１１の輝度を標準に戻す。
【００２３】
上記実施例では画像表示装置としてＬＣＤとバックライトで構成された液晶表示ユニットを用いたが、たとえば有機ＥＬパネル等その他の表示デバイスを用い、上記実施例でバックライトの輝度を切り替えた代わりに表示装置の明るさそのものを変えても同様の効果が得られる。
【図面の簡単な説明】
【００２４】
【図１】本発明の画像表示装置を電子カメラに実施した形態の基本構成を示すブロック図。
【図２】本実施の形態の表示装置の動作処理のフローチャート。
【符号の説明】
【００２５】
１  レンズ
２  ＣＣＤ
３  カメラ信号処理回路
４  記録再生装置
５  記録媒体
６  シャッタボタン
７  マイコン
８  ＬＣＤ駆動回路
９  ＬＣＤ（液晶パネル）
１０  バックライト駆動回路
１１  バックライト
１２  液晶表示ユニット
【図１】
2007166515.tif 000003
【図２】
2007166515.tif 000004